(57)【特許請求の範囲】
【請求項１】
複数の通信システムの中から１つを選択し、無線通信を行う通信端末であって、
第１のアンテナを介して前記複数の通信システムのうちの１つと、信号を送受信する第１の通信部と、
第２のアンテナを介して前記複数の通信システムのうちの１つから、信号を受信する第２の通信部と、
前記第１の通信部および前記第２の通信部のそれぞれにおいて使用する通信システムを切り替える制御部と、を備え、
前記制御部は、前記第１の通信部により第１の通信システムからの配信データを受信しつつ前記第２の通信部により第２の通信システムの待ち受けを行っている際に前記第２の通信システムからの送受信要求の着信があった場合、前記第２の通信部に前記配信データの受信を継続させ、前記第１の通信部に前記第２の通信システムからの着信に対する応答処理を行わせることを特徴とする通信端末。
【請求項２】
前記制御部は、前記応答処理が終了すると、前記第１の通信部に前記配信データの受信を継続させることを特徴とする請求項１に記載の通信端末。
【請求項３】
前記第２の通信部により受信した前記配信データを記憶する記憶部を更に備え、
前記制御部は、前記応答処理および前記配信データの受信が終了した後、記憶した前記配信データのデコードを行うことを特徴とする請求項１または請求項２に記載の通信端末。
【発明の詳細な説明】
【技術分野】
【０００１】
本発明は、複数の通信システムと無線通信を行う通信端末に関する。
【背景技術】
【０００２】
従来、携帯電話等の無線通信端末においては、複数の通信システム（例えば、周波数帯や基地局が異なる）の中から１つを選択し、同期を確立することにより通信を行っている。そして、近年の無線通信端末においては、メインアンテナに加えてサブアンテナを有するものが多種登場しており、ＳＨＤＲ（Ｓｉｍｕｌｔａｎｅｏｕｓ  Ｈｙｂｒｉｄ  Ｄｕａｌ  Ｒｅｃｅｉｖｅ）機能により、メインアンテナとは別のチャネルをサブアンテナにて受信する方法がとられるようになってきている。例えば特許文献１では、２つのアンテナで同時に別々のチャネルを捕捉し、受信した２つのチャネルのうち受信感度の良い方のチャネルを用いて通信を行うモジュールが開示されている。
【０００３】
このようなＳＨＤＲ機能を利用することにより、サブアンテナにて音声通信の待ち受けページングチャネルを受信することができる。このことにより、メインアンテナでＥＶＤＯ（Ｅｖｏｌｕｔｉｏｎ  Ｄａｔａ  Ｏｎｌｙ、あるいはＥｖｏｌｕｔｉｏｎ  Ｄａｔａ  Ｏｐｔｉｍｉｚｅｄ）等のデータ通信を継続しつつ、サブアンテナにて着信を監視することができる。
【０００４】
ここで、ＥＶＤＯサービスの１つにＢＣＭＣＳ（Ｂｒｏａｄ−Ｃａｓｔ  Ｍｕｌｔｉ−Ｃａｓｔ  Ｓｅｒｖｉｃｅ）がある。ＢＣＭＣＳは、特定のコンテンツを多数のユーザに一斉配信するサービスであり、無線通信端末は、通信エリア内において配信開始の報知情報を受信したこと、あるいは、コンテンツ取得をコンテンツ配信するサーバに登録する際に設定する取得時刻が到来したことに応じてデータ受信を開始する。
【０００５】
このとき、配信されるコンテンツが大容量のデータである場合には、受信が完了するまで時間がかかることとなるため、音声通信等の着信を逃さないために、サブアンテナによる監視が有効である。
【特許文献１】特開２００５−１８４３５５号公報
【発明の開示】
【発明が解決しようとする課題】
【０００６】
このように、ＢＣＭＣＳのデータ受信中であっても、音声通信等の着信を監視することができるが、サブアンテナは通常、メインアンテナに比べて機能が限られており、送信機能を備えていないことも多い。したがって、この着信に対して応答するためには、データの送受信が可能なメインアンテナを使用する必要がある。
【０００７】
ところが、メインアンテナはＢＣＭＣＳのデータ受信中であるため、着信応答するためには、このデータ受信を終了することとなる。ＢＣＭＣＳの場合、着信応答後に受信を再開することができないため、無線通信端末がデータを取得するためには、改めてサーバとの通信を確立してデータを受信する。その場合、データ要求に対して別途操作や課金が発生する等、ユーザに不便を強いることになり得る。
【０００８】
そこで本発明は、音声通信等の相互通信（送受信）を行いつつも、ＢＣＭＣＳのデータ受信を継続できる無線通信端末を提供することを目的とする。
【課題を解決するための手段】
【０００９】
本発明に係る無線通信端末は、複数の通信システムの中から１つを選択し、無線通信を行う通信端末であって、第１のアンテナを介して前記複数の通信システムのうちの１つと信号を送受信する第１の通信部と、第２のアンテナを介して前記複数の通信システムのうちの１つから信号を受信する第２の通信部と、前記第１の通信部および前記第２の通信部のそれぞれにおいて使用する通信システムを切り替える制御部と、を備え、前記制御部は、前記第１の通信部により第１の通信システムからの配信データを受信しつつ前記第２の通信部により第２の通信システムの待ち受けを行っている際に前記第２の通信システムからの送受信要求の着信があった場合、前記第２の通信部に前記配信データの受信を継続させ、前記第１の通信部に前記第２の通信システムからの着信に対する応答処理を行わせることを特徴とする。
【００１０】
また、前記制御部は、前記応答処理が終了すると、前記第１の通信部に前記配信データの受信を継続させることが好ましい。
【００１１】
また、本発明に係る無線通信端末は、前記第２の通信部により受信した前記配信データを記憶する記憶部を更に備え、前記制御部は、前記応答処理および前記配信データの受信が終了した後、記憶した前記配信データのデコードを行うことが好ましい。
【発明の効果】
【００１２】
本発明によれば、相互通信を行いつつ、ＢＣＭＣＳのデータ受信を継続する無線通信端末を提供できる。
【発明を実施するための最良の形態】
【００１３】
本発明に係る好適な実施形態の一例について、図面に基づいて以下に説明する。なお、以下、無線通信端末として携帯電話機について説明するが、本発明はこれに限定されるものではなく、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１４】
［携帯電話機１の構造］
図１は、本発明の好適な実施形態の一例に係る携帯電話機１の概観を示す斜視図である。
【００１５】
携帯電話機１は、表面がフロントケース２ａとリアケース２ｂにより構成される操作部側筐体２と、表面がフロントケース３ａとリアケース３ｂにより構成される表示部側筐体３と、を備えて構成される。操作部側筐体２は、フロントケース２ａ表面に、操作キー群１１と、携帯電話機１のユーザが通話時に発した音声が入力される音声入力部１２とが露出するように構成される。また、操作キー群１１は、各種設定や電話帳機能やメール機能等の各種機能を作動させるための機能設定操作キー１３と、電話番号の数字やメールの文字等を入力するための入力操作キー１４と、各種操作における決定やスクロール等を行う決定操作キー１５と、から構成されている。
【００１６】
また、表示部側筐体３は、フロントケース３ａに、各種情報を表示するためのディスプレイ２１と、通話の相手側の音声を出力する音声出力部２２とが露出するように構成される。
【００１７】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に動かすことにより、操作部側筐体２と表示部側筐体３とが互いに開いた状態（開放状態）にしたり、操作部側筐体２と表示部側筐体３とを折り畳んだ状態（折畳み状態）にしたりできる。なお、本実施形態において、ヒンジ機構４による折り畳み式の携帯電話機１の説明をしているが、折り畳み式ではなく、両筐体２、３を重ね合わせた状態から一方の筐体を一方向にスライドさせるようにしたスライド式や、重ね合せ方向に沿う軸線を中心に一方の筐体を回転させるようにした回転式（ターンタイプ）や、両筐体２、３が２軸ヒンジを介して連結したもの、更には、操作部側筐体２と表示部側筐体３とが１つの筐体に配置されたもの（いわゆる、ストレートタイプ）でもよい。
【００１８】
［携帯電話機１の機能ブロック図］
図２は、本発明の好適な実施形態の一例に係る携帯電話機１の各機能を表すブロック図である。
【００１９】
携帯電話機１は、信号の送受信が可能なメイン通信部（第１の通信部）４０、信号の受信が可能なサブ通信部（第２の通信部）５０、ＣＰＵ（制御部）６０、および記憶部７０を備えている。これらが協働することにより、携帯電話機１は、複数の通信システムの中から１つを選択し、音声やデータの通信を行う。
【００２０】
ここで、通信システムとは、例えば、携帯電話機１の使用可能な通信方式における、適合した周波数のことを指す。携帯電話機１は、複数の周波数帯での無線信号の送受信が可能であり、具体的には、旧８００ＭＨｚ帯、新８００ＭＨｚ帯、２ＧＨｚ帯を用いた通信が可能である。更には、通信方式として、例えばＣＤＭＡ２０００＿１ｘやＥＶＤＯ等、複数の方式が使用可能である。
【００２１】
メイン通信部４０は、メインアンテナ４１０、分波器４２０、パワーアンプ４３０、送信回路部４４０、および受信回路部４５０を備え、上記通信システムとの信号の送受信を担っている。
【００２２】
送信回路部４４０により出力される送信信号は、パワーアンプ４３０により増幅され、分波器４２０を通り、メインアンテナ４１０を介して無線により通信システムへ送信される。また、メインアンテナ４１０を介して受信した受信信号は、受信回路部４５０に入力され、ＣＰＵ６０が受信信号に応じた処理を行う。
【００２３】
サブ通信部５０は、サブアンテナ５１０および受信回路部５５０を備え、上記通信システムからの信号の受信を担っている。サブアンテナ５１０を介して受信回路部５５０に入力された受信信号は、ＣＰＵ６０が処理を行う。
【００２４】
ＣＰＵ６０は、アンテナ制御部６１０、通信チャネル処理部６２０、ＢＣＭＣＳチャネル処理部６３０、およびＢＣＭＣＳアプリケーション処理部を備えている。
【００２５】
アンテナ制御部６１０は、通信チャネル処理部６２０またはＢＣＭＣＳチャネル処理部６３０からの指令信号に従って、メイン通信部４０およびサブ通信部５０における周波数の割り当て処理を行っている。ここで、受信回路部４５０および５５０はそれぞれに局部発振器を有しているため、同時に異なる周波数を選択することができる。
【００２６】
すなわち具体的には、携帯電話機１は随時タイマ（図示略）を監視しており、予めコンテンツ取得時に設定された取得時刻になった場合には、ＢＣＭＣＳアプリケーション処理部６４０を起動する。ＢＣＭＣＳアプリケーション処理部６４０は、まず、ＢＣＭＣＳチャネル処理部６３０にコンテンツ（ＢＣＭＣＳ番組データ）受信の要求を行う。そして、アンテナ制御部６１０に、番組受信のためのアンテナ周辺ブロックの設定を要求する。
【００２７】
ところで、ＢＣＭＣＳにおいては、基地局から１つのチャネルにて、符号化されたコンテンツデータがブロードキャストされている。そして、コンテンツ取得を契約している携帯電話機１は、ブロードキャストされるデータを取得するための認証ＩＤが発行されており、ブロードキャストされるチャネルに受信回路を設定した上で、この認証ＩＤを用いて認証を行い、符号化されたコンテンツデータを受信し、受信したコンテンツデータを復号して記憶部７０に保存する。ＢＣＭＣＳアプリケーション処理部６４０は、認証ＩＤの管理、受信したコンテンツデータの復号化および記憶部７０への保存、その後ユーザによりコンテンツデータの実行が要求された際にはコンテンツ再生のための処理を行う。また、ＢＣＭＣＳチャネル処理部６３０は、コンテンツデータの受信周波数設定や受信のための同期設定やプロトコル設定等を、アンテナ制御部６１０を介して制御し、メイン通信部４０またはサブ通信部５０にＢＣＭＣＳチャネルの受信を行わせる。
【００２８】
ここで、携帯電話機１が、例えばメイン通信部４０にてＢＣＭＣＳ番組受信を行う場合、ＢＣＭＣＳチャネル処理部６３０は、メイン通信部４０にＥＶＤＯのＢＣＭＣＳチャネルを割り当てるようにアンテナ制御部６１０に指令する。このとき、音声通話や電子メール等の通信要求の着信を待ち受けるため、通信チャネル処理部６２０は、サブ通信部５０に待ち受けページングチャネルを割り当てるようにアンテナ制御部６１０に指令する。
【００２９】
ＢＣＭＣＳアプリケーション処理部６４０は、ＢＣＭＣＳチャネル処理部６３０に対して番組受信の要求をし、メイン通信部４０にて受信した番組データを受け取り、受信した番組データに応じた処理を実行する。例えば、圧縮や暗号化された番組データのデコード処理を実行し、画面表示用のデータを生成する。
【００３０】
なお、着信の待ち受けとしては、例えば、音声通話や電子メール等が挙げられるが、以下では音声通話の着信として説明する。
【００３１】
［第１の処理］
図３は、本発明の好適な実施形態の一例に係る携帯電話機１において、ＢＣＭＣＳ受信中に着信処理を行う際の、第１の流れを示す図である。この例は、後述する本実施形態における処理との対比として説明する。
【００３２】
ＢＣＭＣＳアプリケーション処理部６４０から、ＢＣＭＣＳチャネル処理部６３０、アンテナ制御部６１０を介してＢＣＭＣＳ番組受信開始要求を受け付けたメイン通信部４０は、ＢＣＭＣＳ番組配信サーバからの報知情報を取得し、ＢＣＭＣＳ番組受信を開始する（ステップＳ１１）。
【００３３】
ＢＣＭＣＳ受信データは、ＢＣＭＣＳチャネル処理部６３０を介してＢＣＭＣＳアプリケーション処理部６４０が受け取り、データ処理（符号化されたデータを復号する処理や、誤り訂正処理を行った上で、記憶部７０に記憶する処理）を行う（ステップＳ１６）。具体的には、ＢＣＭＣＳアプリケーション処理部６４０は、例えば、圧縮や暗号化された受信データをデコードして記憶する。更に、記憶したデータに所定の処理を施し、ユーザに提示するための画面表示用データを生成する。
【００３４】
ここで、メイン通信部４０がＢＣＭＣＳ番組受信を行っている最中は、サブ通信部５０は、通信チャネル処理部６２０から、アンテナ制御部６１０を介して待ちうけチャネル受信要求を受け付ける。これにより、サブ通信部５０は、定期的に待ち受けチャネルを監視する（ステップＳ１５）。
【００３５】
メイン通信部４０がＢＣＭＣＳ番組配信サーバからＢＣＭＣＳ番組受信を行っている間に、サブ通信部５０が基地局からの音声着信を受信した場合、通信チャネル処理部６２０は、この音声着信を受け、更にユーザからの応答操作を検出したことに応じて、アンテナ制御部６１０に音声着信の通知をする。
【００３６】
アンテナ制御部６１０は、音声着信通知を受けたことに応じて、メイン通信部４０に対してＢＣＭＣＳ番組受信の中断要求を行う。これにより、メイン通信部４０は、ＢＣＭＣＳ番組受信を中断する（ステップＳ１２）。
【００３７】
ＢＣＭＣＳ番組受信を中断すると、アンテナ制御部６１０からの音声着信要求に応じて、メイン通信部４０は、音声着信処理を行う（ステップＳ１３）。これにより、着信への応答が開始され、メイン通信部４０により音声通話処理が行われる（ステップＳ１４）。
【００３８】
以上の処理の流れのうち、音声着信に応じたメイン通信部４０とサブ通信部５０における処理の切り替えを図４に時系列で示す。
【００３９】
まず、メイン通信部４０がＢＣＭＣＳ受信を行っているとき、サブ通信部５０は、メイン通信部の補助として、ダイバシティ受信を行っている。これは、メインアンテナ４１０およびサブアンテナ５１０の２つを使用することにより、感度の良好な一方のアンテナから効率的に受信を行うものである。
【００４０】
サブ通信部５０は、ダイバシティ受信を定期的に中断し、待ち受けページングチャネルの受信を行う。この待ち受けの際に音声着信を受けると、ＣＰＵ６０は、着信処理をメイン通信部４０にて行うために、ＢＣＭＣＳ受信を停止させる。これは、双方向の通信をサブ通信部５０では行えないための処置である。具体的には、サブ通信部５０には送信回路部が備わっていないため、着信に対する応答を基地局に送信する制御を行うことができない。
【００４１】
以上の処理においては、音声着信に応じてＢＣＭＣＳ番組の受信が中断されると、たとえ中断の原因となった音声通話が終了してもＢＣＭＣＳ番組の受信は再開しない。ＢＣＭＣＳは前述したように、基地局から不特定多数の携帯電話機に対して同じデータが配信されているため、１つの携帯電話機１が音声通話のために受信中断しても、この音声通話が終了するまで全携帯電話機へのデータ配信を停止するというわけにはいかない。したがって、音声通話中にもデータ配信は継続していることとなる。このため、ＢＣＭＣＳアプリケーション処理部６４０、あるいはＢＣＭＣＳチャネル処理部６３０は、音声通話により中断されたＢＣＭＣＳの受信は再開しない。また、音声通話が終了してから、仮に、中断されたＢＣＭＣＳ番組受信を再開させたとしても、中断していた間の番組データが欠落し、結果としてＢＣＭＣＳ番組受信はエラー終了するため、不要な電力消費が生じてしまう。次に示す第２の処理においては、これを防止することができる。
【００４２】
［ＢＣＭＣＳ受信中の着信処理（第２の処理）］
図５は、本発明の好適な実施形態の一例に係るＢＣＭＣＳ受信中の着信処理の流れ（第２の処理）を示す図である。ここで、第１の処理と同じ処理内容については、その説明を省略する。
【００４３】
第１の処理（図３）のように、メイン通信部４０にて開始したＢＣＭＣＳ番組受信（ステップＳ１１）は、サブ通信部５０による待ち受けチャネルの監視（ステップＳ１５）により音声着信を受け付けると、更にユーザからの応答操作を検出したことに応じて、その受信を中断する（ステップＳ１２）。
【００４４】
ここで、ＣＰＵ６０は、中断したＢＣＭＣＳ番組受信を、サブ通信部５０にて再開するよう制御する（ステップＳ２１）（処理は後述する）。このことにより、番組データの受信が継続されるため、エラー終了することがなくなる。なお、メイン通信部４０からサブ通信部５０への切り替えに伴う一時的な受信の中断は、音声通話を行うことと比較して、単なる信号処理であり圧倒的に短いため、欠落する受信データの量も極小である。よって、ＢＣＭＣＳ番組データの特徴である冗長データ等による誤り訂正を行うことで補完可能である。
【００４５】
ＢＣＭＣＳ番組受信を再開すると、アンテナ制御部６１０は、メイン通信部４０に音声着信への応答送出を要求する。メイン通信部４０は、要求に応じて音声着信処理に入り、基地局との通信を確立する（ステップＳ１３）。続いて、メイン通信部４０は、通信を確立した基地局との間で音声通話処理を行う（ステップＳ１４）。
【００４６】
その後、ＢＣＭＣＳ番組配信サーバによる番組放送が終了すると、サブ通信部５０はＢＣＭＣＳ番組受信を終了する（ステップＳ２２）。これまでに受信したＢＣＭＣＳ受信データは、ＢＣＭＣＳチャネル処理部６３０が記憶部７０に記憶、蓄積する（ステップＳ２３）。
【００４７】
ここで、ステップＳ２３のように受信データを蓄積せず、ステップＳ１６と同様に受信データの復号等の処理を行う場合には、ＣＰＵ６０には大きな処理負荷がかかる。つまり、ＢＣＭＣＳ番組の受信データの復号等の処理に加えて、ステップＳ１３により開始された音声着信処理を行うため、第１の処理に比べて高性能のＣＰＵを搭載する必要がある。
【００４８】
しかしながら、本実施形態では、受信データを、復号や誤り訂正等の処理前の受信データそのままで一旦記憶、蓄積するため、受信データの復号等の処理（ステップＳ２４）を音声着信処理（ステップＳ１３）および音声通話処理（ステップＳ１４）の終了後に行うことができる。その結果、負荷の大きい音声着信・通話処理および受信データ処理を同時に行わないため、ＣＰＵ６０の性能を高くする必要がないので、携帯電話機１のコストを抑えることができる。
【００４９】
メイン通信部４０は、音声通話処理（ステップＳ１４）が終了すると、アンテナ制御部６１０を介してＢＣＭＣＳチャネル処理部６３０に音声通話の終了を通知する。ＢＣＭＣＳアプリケーション処理部６４０は、ＢＣＭＣＳチャネル処理部６３０から、記憶した受信データを受け取り、デコードや画面表示等のデータ処理を行う（ステップＳ２４）。
【００５０】
以上の処理の流れのうち、音声着信に応じたメイン通信部４０とサブ通信部５０における処理の切り替えを図６に時系列で示す。
【００５１】
まず、第１の処理（図４）と同様に、メイン通信部４０がＢＣＭＣＳ受信を行っているとき、サブ通信部５０は、メイン通信部の補助として、ダイバシティ受信を行っている。
【００５２】
ここで、サブ通信部５０は、ダイバシティ受信を定期的に中断し、待ち受けページングチャネルの受信を行う。この待ち受けの際に音声着信を受けると、ＣＰＵ６０は、ＢＣＭＣＳ受信をサブ通信部５０に切り替えて継続する。このように、データ送信の必要がないＢＣＭＣＳ受信をサブ通信部５０にて行うことにより、メイン通信部４０が着信処理を開始できる。
【００５３】
その結果、携帯電話機１は、第１の処理のように終了することなく、ＢＣＭＣＳ受信を継続しつつ、音声着信に応じた処理を行うことができる。
【００５４】
なお、図５においては、音声通話処理（ステップＳ１４）より前にＢＣＭＣＳ番組受信を終了（ステップＳ２２）した場合を説明したが、ＢＣＭＣＳ番組送信が音声通話終了後も継続する場合もある。その場合、ＢＣＭＣＳ番組受信を再度メイン通信部４０に切り替えてもよい。図７に、音声通話処理終了後にＢＣＭＣＳ番組受信を継続する場合の処理の流れを示す。
【００５５】
音声通話処理（ステップＳ１４）が終了すると、音声通話終了通知に応じて、アンテナ制御部６１０は、サブ通信部５０に対してＢＣＭＣＳ番組受信の中断を要求し、メイン通信部４０に対してＢＣＭＣＳ番組受信の開始を要求する。これにより、サブ通信部５０はＢＣＭＣＳ番組受信を中断し（ステップＳ３１）、メイン通信部４０にてＢＣＭＣＳ番組受信を開始する（ステップＳ３２）。
【００５６】
更に、サブ通信部５０は、アンテナ制御部６１０からの要求に応じて、定期的に待ち受けチャネルの監視を再開する（ステップＳ３４）。
【００５７】
その後、ＢＣＭＣＳ番組の送信が終了すると、メイン通信部４０は、ＢＣＭＣＳ番組受信を終了する（ステップＳ３３）。ここまでのＢＣＭＣＳ受信データは、ＢＣＭＣＳチャネル処理部６３０を介してＢＣＭＣＳアプリケーション処理部６４０に送信され、デコード等のデータ処理を行う。
【００５８】
なお、ＢＣＭＣＳ受信データは、ステップＳ２３（図５）と同様にＢＣＭＣＳチャネル処理部６３０により記憶部７０に記憶させることとしてもよい。その場合には、ＢＣＭＣＳ番組受信を終了（ステップＳ３３）したことに応じて、ＢＣＭＣＳチャネル処理部６３０が番組受信終了通知を受け取り、記憶したＢＣＭＣＳ受信データをＢＣＭＣＳアプリケーション処理部６４０に送信する。
【００５９】
このようにして、音声通話の終了後に、ＢＣＭＣＳ番組受信をメイン通信部４０にて再開することにより、感度の良いアンテナを利用してデータ受信ができる。その結果、ＢＣＭＣＳ番組受信に途中で失敗してしまう可能性を減らすことができる。
【００６０】
なお、ＣＤＭＡ２０００＿１ｘ＿ＥＶＤＯ方式においては、ＥＶＤＯはデータ通信専用であり、その分通信レートが１ｘ方式に比して高速である。そして、１ｘ方式は音声通信、データ通信の双方に使用できる。そのため、待ち受け（非通信中で着信等を待ち受ける状態）は１ｘ方式にて行われることが基本となっている。その一方で、通信可能エリアの基地局がＥＶＤＯ方式をサポートするかどうかを判定しておき、データ通信を開始する際には、ＥＶＤＯ方式が使用可能であればＥＶＤＯ方式の通信システムを、ＥＶＤＯ方式が使用不可であれば１ｘ方式の通信システムを選択して基地局との通信を開始する。
【００６１】
そこで、はじめに、ＢＣＭＣＳ受信も音声受信もデータ受信もしていない待ち受け状態においては、メイン通信部４０は１ｘ方式の通信システムを使用して待ち受けを行っている。その後、メイン通信部４０にてＢＣＭＣＳ受信を行う際には、メイン通信部４０はＥＶＤＯ方式の通信システムに切り替える。ＢＣＭＣＳチャネルは、大きなデータを配信する特性上、ＥＶＤＯ方式のみでサポートされている。このとき、サブ通信部５０はＥＶＤＯ通信におけるダイバシティ受信部を構成することとなる。すなわち、サブ通信部５０もＥＶＤＯ方式の通信システムの信号状態を監視し、メイン通信部４０における受信状態よりも良好な受信環境であれば、ＢＣＭＣＳデータをサブ通信部５０にて受信する。このとき、前述したように、周期的に音声着信の発生を監視する。すなわち、周期的に１ｘ方式の通信システムで報知される待ち受けチャネルを選択することとなる。
【００６２】
また、メイン通信部４０にてＢＣＭＣＳ受信しているときに、１ｘ方式にて音声着信の通知を受信すると、前述したようにＢＣＭＣＳ受信をサブ通信部５０に切り替え、メイン通信部４０にて音声着信の処理に入る。すなわち、アンテナ制御部６１０は、メイン通信部４０のＢＣＭＣＳ受信を中断すると共にメイン通信部４０の使用する通信システムを１ｘ方式に切り替えてから着信応答処理を行い、サブ通信部５０の使用する通信システムをＥＶＤＯ方式に切り替えて中断したＢＣＭＣＳ受信を再開する処理を行っている。このように、アンテナ制御部６１０の制御にて、各通信部の使用する通信システムを的確に変更することで、複数の通信システムを跨いで、双方の通信を致命的に停止することなく実行することができる。
【００６３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００６４】
【図１】本発明の好適な実施形態の一例に係る携帯電話機の概観を示す斜視図である。
【図２】本発明の好適な実施形態の一例に係る携帯電話機の各機能を表すブロック図である。
【図３】ＢＣＭＣＳ受信中に着信処理を行う際の、第１の流れを示す図である。
【図４】第１の処理の流れのうち、音声着信に応じたメイン通信部とサブ通信部における処理の切り替えを時系列で示す図である。
【図５】本発明の好適な実施形態の一例に係るＢＣＭＣＳ受信中の着信処理（第２の処理）の流れを示す図である。
【図６】本発明の好適な実施形態の一例に係る処理の流れのうち、音声着信に応じたメイン通信部とサブ通信部における処理の切り替えを時系列で示す図である。
【図７】本発明の好適な実施形態の一例において、音声通話処理終了後にＢＣＭＣＳ番組受信を継続する場合の処理の流れを示す図である。
【符号の説明】
【００６５】
４０    メイン通信部
５０    サブ通信部
６０    ＣＰＵ
４１０  メインアンテナ
４２０  分波器
４３０  パワーアンプ
４４０  送信回路部
４５０  受信回路部
５１０  サブアンテナ
５５０  受信回路部
６１０  アンテナ制御部
６２０  通信チャネル処理部
６３０  ＢＣＭＣＳチャネル処理部
６４０  アプリケーション処理部
【図１】
0005566570.tif 000002
【図２】
0005566570.tif 000003
【図３】
0005566570.tif 000004
【図４】
0005566570.tif 000005
【図５】
0005566570.tif 000006
【図６】
0005566570.tif 000007
【図７】
0005566570.tif 000008